(57)【要約】      （修正有）【課題】  実際のボール打ったり信号発信部から発射された光を見ることなく、１乃至数回のパッティング動作を行いプレイヤーのパッティング情報を得るようにする。【解決手段】  ゴルフパター本体と、絵や写真で描いたゴルフボールを含むボール支持マット本体と、光信号発信部からなり、ゴルフパター本体は、その正面部（打球面）に設けられ上記光信号発信部から発射された光を反射させる反射部材と、表面部にはゴルフパター本体を正しい方向に走行させる為の補正指示機構からなる。【選択図】図３
2006247073.tif 000002
【特許請求の範囲】
【請求項１】
ゴルフパター本体と、
絵や写真で描いたゴルフボールを含むボール支持マット本体と、
光信号発信部とからなり、
ゴルフパター本体はその正面部（打球面）に設けられ上記光信号発信部から発射された光を反射させる反射部と、表面部にはゴルフパター本体を正しい方向に走行させる為の補正指示部とが設けられ、インパクトの際実際のボールを打ったり信号発信部から発射された光を見ることなく、１乃至数回のパッティング動作を行い、その結果からプレイヤーのパッティング情報を得るようにことを特徴とするゴルフに於けるプレイヤーのパッティング情報収集方法。
【請求項２】
ゴルフパター本体と、
ゴルフボール支持マット本体と、
光信号発信部からなり、
ゴルフパター本体は、その正面部（打球面）に設けられ上記光信号発信部から発射された光を反射させる反射部材と、表面部にはゴルフパター本体を正しい方向に走行させる為の補正指示部が設けられ、
ゴルフボール支持マット本体は、印刷等で画かたれゴルフボールを含むゴルフボールと、該ゴルフボール支持マット本体に設けられゴルフパター本体の軌跡を検出する複数のセンサからなり、
光信号発信部は、反射部材からの反射光を受光 and/or ゴルフボール支持マット本体に設けられた上記センサの軌跡を電気的に処理する少なくとも１個以上の受光部と、この受光部で受光した光を電気信号に変換する回路と、電気信号によりこれらの作用を表示する表示部とよりなる
ことを特徴とするゴルフに於けるプレイヤーのパッティング情報収集手段。
【請求項３】
表示部は、光発光体である事を特徴とする特許請求の範囲第１項記載のゴルフにおけるプレイヤーのパッティング情報収集手段。
【請求項４】
表示部は、発音体である事を特徴とする特許請求の第２項及び３項記載のゴルフにおけるプレイヤーのパッティング情報収集手段。
【請求項５】
光信号発信部からの光を反射する反射テープをパター打球面に添付した事を特徴とする特許請求の範囲第２項及び４項記載のゴルフにおけるプレイヤーのパッティング情報収集手段。
【請求項６】
光信号発信部からの光を反射する反射用アダプターをパター打球面に付着した事を特徴とする特許請求の範囲第２項及び５項記載のゴルフにおけるプレイヤーのパッティング情報収集手段。
【発明の詳細な説明】
【技術分野】
【０００１】
この発明はゴルフのパターにあって、パターの横振れ角度等など偏りデータを得て、そのデータを確認しながら練習を行い、正しいパッティングの情報収集が出来るゴルフにおける正しいパッティングの情報収集手段とその方法に関する。
【背景技術】
【０００２】
従来ゴルフパターの練習装置としては多数の先行技術がある。例えば特許文献１にある様にＬＥＤ表示装置がパター自身に付いているものがある。これはパターの角度振れを判別するのに、練習者自身がパターヘッドの方向及びＬＥＤの発光軌跡を見ながら練習しないとパターの振れ具合の判別がつかなかった。また、パター自体を物体のレールに沿わせて、パターが振れていないようにする練習機は従来からあった（特許文献２及び３）が、光学的な反射光を用いて、パターの振れ角度（平行方向の角度及び垂直方向の角度）を練習者が常に確認しながら行うゴルフパター練習装置はなかった。
【０００３】
本発明はこれら従来技術にはない画期的な発明である。即ち本発明者は、プレイヤーがゴルフのパッティングをする際、どうしてもターゲット（カップ）に対して必ずと言っても良いほどバラツキが生じることを発見した。しかもそれは左右どちらかに偏もので、それは特にパッティングをなす者（プレイヤー）が個人的に持つ特有の癖であり、通常本人はそれを知らない場合が多いことも分っている。
【０００４】
さらに発明者は、従来のパッティング練習例えば実際のボールを打つ最大の欠点は、パッティングの際プレイヤー自身がその都度ボールの行方を見て、次回のパッティングは修正しようとすることであり、このことはレーザーのような光線上を打つようなパッティング練習手段でも言えることである。
【０００５】
そこで本  発明者はプレイヤー（練習者）のこのゴルフパッティングが正しく行われているか否かのデータを取る必要があることを見い出したのであるがそれには、数回のパットをしなければならないのであり、ＬＥＤなど発光軌跡を追う従来のパッティングではパットの結果を見ることにより左右の偏りを修正してしまい、個人の持つ癖が補正される為、正確な測定ができない欠点があった。
【０００６】
【特許文献１】特開平１−３１０６７８号公報
【特許文献２】特開昭５８−１１８７７７号公報
【特許文献３】特開平８−１５５０６８号公報
【発明の開示】
【発明が解決しようとする課題】
【０００７】
而して本発明の目的は上記欠点を除去するものであり、実際のプレーでプレイヤーがなすパッティングを事実上矯正させることができカップインの成功率を飛躍的に向上させ得たことである。
【課題を解決するための手段】
【０００８】
本発明の特徴は、ゴルフパター本体と、絵や写真で描いたゴルフボールを含むボール支持マット本体と、光信号発信部からなり、ゴルフパター本体は、その正面部（打球面）に設けられ上記光信号発信部から発射された光を反射させる反射部と、表面部にはゴルフパター本体を正しい方向に走行させる為の補正指示部が設けられ、インパクトの際、実際のボール打ったり信号発信部から発射された光を見ることなく、１乃至数回のパッティング動作を行いプレイヤーのパッティング情報を得るようにしたことである。
【０００９】
またこの場合ボールなど実際に打つことなく、非可視光線を打つシミュレーションのため、得た情報がプレイヤーに解らないようにすることが可能であって、よって二回目以降のパッティングも先に行ったパッティングの学習を思いだしてパッティングする事無く、この状態で複数回のパッティングを行いその結果を収集してプレイヤーが持つ固有の偏差値を導きだす事が出来たのである。
【００１０】
而してプレイヤーはかかる偏差値を分析してこれをもとに自分自身のパッティングにおけるボールの反射角度などを調節しこの偏りを見た目（視覚）で補正ができるようになったのであって、この補正によりカップインの成功率を飛躍的に向上させ得たのである。
【００１１】
なお実際のボールのパッティングも、またシート状の圧電素子等を利用したカップで実際パットした場合でも、かかるボールを打った瞬間、照明を消す等の機械的，電気的手段でも、ようはプレイヤーに自分のパッティング後の情報が見えないように出来る手段も本発明の技術的範疇にあるものである。
【００１２】
即ちその手段としては、通常のパッティングと同条件でボールを打ち、（カップはカップの絵とか写真で、）そのインパクトの瞬間照明を消し例えば赤外線などの可視光を点灯させ、赤外線カメラにてカップの何処に打たれたかを記録する事によりデータを得られる方法もある。
【００１３】
またインパクトは床にマグネットセンサーを使用し、パターにマグネットを取り付けるか、ボールを打つときはマイクロホンで打点の音を拾っても良い。あるいは光をボールに当て光センサーでボールがなくなる瞬間を監視して照明を消しても良い。
【００１４】
他に本発明の特徴は、上記ゴルフボール支持マット本体は、印刷等で画かたれゴルフボールを含むゴルフボールと、該ゴルフボール支持マット本体に設けられゴルフパター本体の軌跡を検出する複数のセンサからなり、光信号発信部は反射部材からの反射光を受光 and/or ゴルフボール支持マット本体に設けられた上記センサの軌跡を電気的に処理する少なくとも１個以上の受光部と、この受光部で受光した光を電気信号に変換する回路と、電気信号によりこれらの作用を表示する表示部とよりなることである。
【００１５】
他の本発明の特徴は、上記光信号発信部にあって反射部材からの反射光を受光 and/or ゴルフボール支持マット本体に設けられた上記センサの軌跡を電気的に処理する少なくとも１個以上の受光部と、この受光部で受光した光を電気信号に変換する回路と、電気信号によりこれらの作用を表示する表示部とよりなり、正しいパッティングのデータを検出するに当たっては、当該パッティングの軌跡等結果を表示させることなく練習パッティングの回数のみを表示し、所定数のパッティングを行ったのち正しいパッティング（目標）と練習パッティングの誤差を測定し、その結果を数値で表し、この数値に基づいてパッティングの矯正練習をするようにしたことである。
【００１６】
他の本発明の特徴は、上記の表示部を光発光体とした事である。
【００１７】
他の本発明の特徴は、上記の表示部を発音体とした事である。
【００１８】
他の本発明の特徴は、上記光信号発信部からの光を反射する反射テープをパター打球面に添付した事である。
【発明の効果】
【００１９】
他の本発明の特徴は、上記光信号発信部からの光を反射する反射用アダプターをパター打球面に付着させたことである。
【００２０】
而してプレイヤーがプレイヤー自身のパッティングする際の癖などデータを集めるには当該プレイヤーの数回あるいは数十回のパッティングのデータが必要となる。そこで、プレイヤーは上記マット本体上に恰もゴルフボールがあるのと同様に、一連のパッティング行為を行うものであるが、この場合正しいパッティングのデータを検出するに当たっては、当該パッティングの軌跡等結果を表示させることなく練習パッティングの回数のみを表示し、所定数のパッティングを行ったのち正しいパッティング（目標）と練習パッティングの誤差を測定し、その結果を数値で表しこの情報収集結果である数値に基づいてパッティングの情報収集練習をすることができるようにしたのである。
【００２１】
このように、本発明はプレイヤー自身のパッティングの偏りを分析することによって、かかるバラツキの中心値とターゲットの誤差を数値化して、見た目（視覚）の補正ができるようにしたことであって、この補正によりカップインの成功率を飛躍的に向上させ得たことである。
【００２２】
なお本発明には、この他に優れた方法，構成，作用効果があるがこれらについては実施例その他で詳述することになるも、具体的にいま一定の距離でパッティングを複数回行い、その記録データの分析の結果「右に１５ミリ」の偏りがあったとする。この誤差を補正するには例えばその実施例として示す補正ダイヤルの番号を画面に指示された番号に合せて、ゲージ板を選び情報によって得られた偏りのパッティングの方向線を角度にとる。この結果上記の１５ミリの偏りが視覚的に補正されカップに入る確立を向上させることができたのである。
【実施例１】
【００２３】
次に本発明の一実施例を述べると、本発明は、光信号発信部（Ａ）と、ゴルフパター本体（Ｂ）と、ゴルフボール本体支持マット本体（Ｃ）からなる。
【００２４】
而して第６図は光信号発信部（Ａ）で、長さがゴルフカップの穴の大きさとほぼ同じ位の直方体（１）の一側面ほぼ中央に信号発信部として、例えば照射用ＬＥＤ（２）を設けてある。この照射用ＬＥＤ（２）の上方には、ＬＥＤ（２）から照射された光線の反射光を受光するためのフォトトランジスタ等からなる５つの受光素子３ａ，３ｂ，３ｃ，３ｄ，３ｅが、横一列等間隔に設けてある。直方体（１）の上面には、横一列等間隔で上記受光素子３ａ，３ｂ，３ｃ，３ｄ，３ｅと対を成すように表示用ＬＥＤ４ａ，４ｂ，４ｃ，４ｄ，４ｅが設けてある。
【００２５】
表示用ＬＥＤ４ａ，４ｂ，４ｃ，４ｄ，４ｅは、上記受光素子３ａ，３ｂ，３ｃ，３ｄ，３ｅの受光に同期して、夫々点灯するようになっており、例えば、中心のＬＥＤ４ｃを縁色ＬＥＤとし、その両側のＬＥＤ４ｂ，４ｄを橙色ＬＥＤとすると共に、外側のＬＥＤ４ａ，４ｅを赤色ＬＥＤと信号機のような配色にしてある。直方体（１）の側面で受光素子３ａ，３ｂ，３ｃ，３ｄ，３ｅの上方には、遮光板（４）が側面の長さに応じて設けてある。
【００２６】
なお、図示しないが直方体（１）の内部には、照射用ＬＥＤ、表示用ＬＥＤおよび受光素子を作動させるための電源装置、制御回路や演算回路が配設されており、しかも反射光の一番強い光りを受光した受光素子に対応した表示用ＬＥＤが所定時間点灯するように形成されている。また上記電源装置はＡＣ電源と電池電源の双方が選択できる様になっている。さらに上記表示用ＬＥＤは、点灯のみならず点滅動作するようにしてもよい。続いて上記信号発信部はＬＥＤに限らず半導体レーザを用いてもよく、しかも光発信源は一つに限らず複数個設けるようにしてもよい。
【００２７】
また、受光素子の数も一つ以上で有れば数多く設けてもよく、受光素子の数に対応させて表示用ＬＥＤを設ける事はいうまでもない。この場合表示用ＬＥＤの色は、どの様な色を組み合わせても良いのであるが、本発明の目的は、プレイヤーは当該ＬＥＤの線（色彩）を目で追わないようにすることにあるから、当然のこと乍う視覚では確認できない線が必要絶対条件で、その他は練習者の要望で設けてもよいが、この場合要は中心の色に対し左右に離間していくにしたがって、ＬＥＤの色が変化していく状態が目で確認できればよい。
【００２８】
また、光信号発信部（Ａ）内には後述の手段でパッティングの回数を表示する回数表示窓（Ａ１）があり、さらに予め行われた所定のパッティングの結果を記憶し正しいパッティングの位置と実際のパッティングの誤差を測定し、その結果を数値として表示する数値窓（Ａ２）が光信号発信部（Ａ）の前面に設けられている。
【００２９】
図２と３で、（５）はゴルフパター本体（Ｂ）のヘッドであり、（６）はその打球面であって、その中心部に照射されたＬＥＤを反射させる凸レンズのような反射部材（７）がある。また（８）はゴルフのロッドである。
【００３０】
図２と３で（９）はパッティングの際、プレイヤーが陥る上記の偏りを是正するためのゲージ板で、ヘッド（５）の平面に載置される平板（９１）と、ゴルフパターの正面（打撃面）に沿わせることができる下方に折曲した鈎型（９２）をしており、（９３）は上記ゲージ板（９）の上面にあって、そのパターの走行方向軸線上に描いた方向線である。
【００３１】
このゲージ板（９）をヘッド（５）に取り付ける手段としては、ゲージ板（９）がその左右方向に少し扇状運動できるものであればよいが、例えば図のようにゴルフパター本体（Ｂ）の表面にゲージ板（９）をビス（１４）で止めるような手段でよい。但しこの場合ヘッド（５）とゲージ板（９）との取付け手段にあってはゲージ板（９）に少し湾曲した蟻溝（９５）を設けるなど、ゲージ板（９）即ちゴルフパター本体（Ｂ）の表面の方向線（９３）が、所定の角度となるようにすることが肝要である。
【００３２】
また図中（１０）は円盤状の指針板で、その軸（１０１）は上記のヘッド（５）の適宜位置に穿たれた軸受（１０２）に取付け取り外し自在に枢支され、その周囲には時計の文字と同様（但し図示のものは０乃至８に等分）に数値（１１）が記述されている。
【００３３】
即ち、この指針（１０）にあってプラスの方向、たとえばスライスの方向では順次０から４の数値（１１）が示され、逆にマイナス方向（たとえばフック方向）では０から８,７,６,５となって、それぞれその数値（１１）に見合った値で正しい軸線に対して大小の角度がとれるようになっている。
【００３４】
また詳細な構造は図示及び説明を省くが、仮令えば、この指針板（１０）の上面には適当な形状のカム盤（１２）があって、その外周には上記指針板（９）の一側から突出させて設けた回転子（１３）が衡合している。
【００３５】
この時この回転子（１３）とカム盤（１２）との関係は、上記指針板（１０）の数値（１１）を仮令えば０から１のプラス方向（たとえばスライス方向）に廻った場合、かかる回転子（１３）とカム盤（１２）との衡合がカム板（１２）の山部方向に移動するので、ゲージ板（９）はその中心軸を支点として一定角度だけ正しいヘッドの軸線に対して傾斜するようになっている。ただこの場合上記ビス（１４）は弛めておくこと当然である。
【００３６】
さらに図４,５はゴルフボール支持マット本体（Ｃ）で、その中心部には印刷手段等で画かれたゴルフボール（１５）があり、中心軸線上の末端には三角形状の切り抜き（１６）がある。またこのマット本体（Ｃ）にはその軸線の後方と中心線を通る直角方向両側にヘッド（５）の動きを検出する各センサ（１７）があり、その検出結果は前記信号発信部（Ａ）に接続され、周知手段でヘッド（５）の動作が電気的に処理され、表示されるようになっている。
【００３７】
次に作用を説明する。先ず前記光信号発信部（Ａ）及びこれより４０〜５０cm離してマット本体（C）を、屋内、屋外の好きな場所にセットする。次いで直方体（１）をセットした後、電源を投入して照射用ＬＥＤ（２）から照射光を発射する。
【００３８】
プレイヤーはパター本体（B）を持って準備し、パターの打球面（パターフェース）を上記照射光（本発明のこの実施例では色彩が施されていないから、その打球面（６）と光信号発信部（A）とが平行となるようにするか、または、図２の一点鎖線で示すような中心線を画くことになる）と直交するようにセットする。次いで上記パターのヘッド（５）の打球面（６）に照射用ＬＥＤ（２）の照射光を、スポット状に当てた状態でパター本体（C）を受光素子に向けて操作する。
【００３９】
而してその打球面（６）の反射部材（７）からの反射光を受光した受光素子３ａ，３ｂ，３ｃ，３ｄ，３ｅはその信号をそれぞれが演算処理する。即ち、このパッティングによるデータの取得作業は、少なくとも５回以上行われることが肝要で、このパッティングの回数はその回数のみ光信号発信部（Ａ）の回数窓（A１）に表示される。
【００４０】
これと同時に所定回数のパッティング動作でその反射光を光信号発信部（Ａ）の受光素子３a乃至３eのいずれかが受光回数が多かったか、その回数を積算しそれを数値にして光信号発信部（Ａ）の数値窓（Ａ２）も表示する。即ち、この数値窓（Ａ２）に表示された値は、前記指針板（１０）の表面周囲に画かれた数値（１７）と同一であって、練習者の数回に亘るパッティングで測定された結果が仮令えば、“３”であれば、練習者は上記指針板（１０）を廻動させて“３”に合わせる。その結果、カム盤（１２）は連動され、その山部が回転子（１３）を押し、指針（９）を図の時計方向に回動させる。
【００４１】
いいかえれば、プレイヤーは上記光信号発信部（Ａ）の数値窓（Ａ２）の表示を見たとき、自分のパッティングが正しいパッティングの軸線対してインサイドからアウトサイド方向になされている正しいパッティングが行われていないことが解るのである。
【００４２】
即ちプレイヤーは図２のように正しい軸線上にある方向線（９３）に沿って正しくパッティングしていると確信していたのであるが、事実はこの正しいパッティングに対し一定角度の偏りがあり、従ってこれを情報収集すべくなされた新しい方向線（９３）のラインに沿ってパッティングの練習を再び行えば、ボールがカップに入る確率を頗る高いものとすることができるのである。
【００４３】
よって、この新しい方向線に沿うパッティングを規定回数行い再び前記と同様の作勤用を繰り返し行うことによって練習者は正しいパッティングのフォームを会得して更にカップに入る確率を高めることができるというものである。
【００４４】
また、パター本体（B）からの反射光とボールの進行する方向とのずれ分は、光信号発信部（Ａ）内の表示回路および受光回路のゲイン調整によって行う。以上のように本発明では、光信号発信部（Ａ）からのレーザ光及び反射光に色彩が施されていないが、勿論かかる色彩を施すこともできる。この場合、上記表示用のLEDを点灯させその色を見ることにより上達の具合を知ることができる。このときパターを操作しても表示用ＬＥＤが点灯しないのは当然の事ながら、ボールがカップから外れた事を示している。
【００４５】
上記パター本体（B）の素材としては、ステンレス系、軟鉄系およびジンクレセン系などが有るが、実際に使用しているパター本体（B）の打球面に反射率のよい反射テープを添着しても良く、また反射用アダプターを取り付けて練習するようにしても良い。この様に実際に使用しているパター本体（B）でパッティングすることにより、プレーにおけるパター本体（B）の違和感が無くなり、スコアーの向上に繋がる。
【００４６】
この実施例の場合は、パター本体（B）をセットし、上記照射光に対しパター本体（B）のクラブフェースを直角に設定した後は、プレイヤーが真下を見ていても光が視界に入らないので、頭や目線を動かすこと無くストロークの練習ができる。また、プレイヤーと装置までの距離が短いので、パターフェースの角度が変化したときに、フェース角度の変化の倍の角度で表示用ＬＥＤの光る位置が変わるので微妙な動きをとらえることができたのである。
【００４７】
また図４にあって、一点鎖線支持マット本体（C）状の仮想ボール（１５）を打った際のパターのストローク軌跡で普通多くのプレイヤーによるそれは、無意識にインサイドアウトあるいは、アウトサイドインにパターを作動させてしまい、正しいパッティングラインとは異なった図で上下方向の湾曲を画くことが多い。
【００４８】
平たく言えば、これは、プレイヤーの意識しない所謂癖で、その是正のためにはその軌跡を３つのセンサで検知し、これを光信号発信部（Ａ）の適宜位置に衆知の手段で表示させることにより、練習者即ち自分自身のパッティングフォームの所謂癖を知り、これを是正する練習に役立たせることができたのである。
【００４９】
なお、かかるパッティングの練習にあって、この実施例のマット本体（C）には、その正しいパッティング線上の末端部に切込み（１６）を設けたから、この切込み（１６）を目安にパターを引き、パッティングのスウィングを行うと正しいパターのストロークが行えるものである。
【００５０】
第７図は、この発明の他の実施例を示すもので、直方体の形状を、ゴルフカップの半分、即ち半円筒体１ａ状にしたもので、半円上面には円弧に沿って７つの表示用ＬＥＤ（４）を配設し、かつ受光素子（３）と照射用ＬＥＤ（２）は、円筒体を半分に切断した平面に配設してあり、この平面はゴルフカップの穴径とほぼ同じ長さを有している。
【００５１】
なお、受光素子と照射用ＬＥＤを設ける平面は、ゴルフカップの大きさに拘る事なく、必要に応じて大きくしても良く、要は照射用ＬＥＤから出た光の反射光が、ゴルフカップの穴径内に設けられた受光素子で受光されそれを照射用ＬＥＤで表示されたものを目で確認できればよい。
【００５２】
第８図も、この発明の他の実施例を示すもので、表示部としてＬＥＤに変えて音が出るようにしたものである。例えば１３個の受光素子（３）を光検出・演算回路等の制御回路（Ｅ）を介して、１３個の表示用ＬＥＤ（４）を接続すると共に、制御回路（Ｅ）からメロディ発生用の発生回路（Ｍ）を介してスピーカ（Ｓ）を接続してある。なお、上記制御回路（Ｅ）内には、表示用ＬＥＤとスピーカ（Ｓ）とを選択的に切り替える切替え回路やＬＥＤとスピーカが同時に使用できる選択回路が設けられている。
【００５３】
この様に配設する事により、例えば中心の受光素子とその両側の素子のいずれか一つに一番強い反射光が入った場合、受光素子に対応した一つの表示用ＬＥＤを緑色に点灯する。そして反射光がややずれて、中心から左右２つ目の受光素子のいずれか一方に一番強い光が入ると橙色にＬＥＤが点灯し、ボールがややずれた事を表示するが、ここまでのずれの場合はカップインすることが予測できる。
【００５４】
ここまでの状態を音で表示するには、切替えスイッチ等で音表示にしておくと、例えば中心に反射した場合はハ長調の「ド」の音が、右側に少しずれた場合は「レ」の音が、更に右側にずれた場合は「ミ」の音が鳴るようにし、逆に左側に少しずれた場合は「シ」の音が、更に右側にずれた場合は「ラ」の音が鳴るようにしてあるが、いずれにしろカップインの状態であり、この状態をハ長調の音階で表示している。
【００５５】
しかしながら、反射光が更に右側にずれてカップから外れた様な場合は、一オクターブ上の音で、例えば「フア・ソ・ラ・シ」というようにずれるに従って順次音が変わる様にしたもので、逆に左側にずれてカップから外れた様な場合は、一オクターブ下の音で、例えば「ソ・フア・ミ・レ」というようにパターからの反射光がカップの穴径より外れた位置の受光素子に入った場合は、夫々オクターブの異なる音が出るようにしてある。
【００５６】
具体的にいま、常に正しい偏りにないパッティングを行った場合は図９に矢印に示したように全てのパターがカップインする。一定の距離でパッティングを複数回行いその記録データの分析の結果「右に１５ミリ」の偏りがあったとする。この場合は図１０の点線矢印で示すようにカップインしない。即ち、図のように、複数回のデータは、一定の目標位置に打ち出されることはない。常にばらつくことが解る、更にバラツキは偏りが（偏差）が起こるのであるがこの偏差値をパターに見た目の補正が出来れば、バラツキの改善は出来ないが、偏りは補正が図のように出来るのである。
この誤差を補正するには補正ダイヤルの番号を画面に指示された番号に合せてパターのプレートのネジをしっかり締め付ける。これによって上記の１５ミリの偏りが視覚的に補正され図９のようにカップに入る確立を向上させることができたのである。
【００５７】
而して先ず、プレイヤーがパッティングする際の癖などデータを集めるには当該プレイヤーの数回あるいは数十回のパッティングのデータが必要となる。そこで、プレイヤーは上記マット本体上に恰もゴルフボールがあるのと同様に、一連のパッティング行為を行うものであるが、この場合正しいパッティングのデータを検出するに当たっては、当該パッティングの軌跡等結果を表示させることなくデータ取得のパッティングの回数のみを表示し、所定数のパッティングを行ったのち正しいパッティング（目標）と練習パッティングの誤差を測定し、その結果を数値で表しこの数値に基づいてパッティングの情報収集の動作をなすことになる。
【００５８】
また上記の偏りの角度が直角に向いた時の表示音に比較して、左右に角度が変化した場合に音質、音量、音域（高音、低音）などが極端に変化するので、目を閉じていても、練習装置を見ないでパターフェースの向きを確認することが出来る。これは、目を閉じることにより、自分のからだの動きに集中することが出来、体の動きを短時間で記憶することを可能にした物である。なお、音の表示は音階に限らず、音の強弱やメロディ・音声等種々変形してもよく、また、音とＬＥＤが同時に表示される様にしてもよい。なおこの場合は同じ音になるように音の発生を行う。
【実施例２】
【００５９】
図１１の実施例は、上記ゲージ（９）の他の実施例を更に簡略したもので、上記与えられた偏り角度の方向線（９３）を直接ヘッド（５）に容易に描けるようにしたものである。即ちこのゲージ板（９’）は、上記ゲージ（９）と略々同様にヘッド（５）の上面に載置される平板（９１’）と、ゴルフパターの正面（打撃面）に沿わせることができる下方に折曲（９２’）した鈎型をしており、上記平板（９１’）の上面にあって、そのパターの走行方向軸線上に描いた方向線（９３’）がある。
【００６０】
この場合かかるケージ板（９’）は、夫々異なった角度の方向線（９３’）の蟻溝が穿たれた複数の種類のものが用意される。
【００６１】
而していま、上記数回に亘るパッティングの結果その偏り値（角度）がプレイヤーに与えられるが、その情報に見あった角度の方向線（９３’）が穿たれたゲージ板（９’）
を選びだし、それをヘッド（５）の上面に載置させ適宜の筆記用具で方向線（９３’）の蟻溝に沿い線を描けばプレイヤーのパッティングすべき方向がすぐ得られることになる。
【００６２】
この発明によれば、実際のプレーと同じ状況で、パターの練習ができ、かつ従来の練習機のようにレーザー光などで表示した正しい目安となるラインを追ってパッティングするのではなく、かかる目安ラインは表示せず、練習者の所謂癖を数値として表し、これを練習者のパッティング動作に反映させたものであるから、ゴルフの基本であるところの体に動作を記憶させる、常に正しい一定の動作を繰り返せることができ、体に動作を記憶させる条件に好適な方法を提唱できたのであり、このため、正しいデータが得られたのでる。
また仮令えば室内において外光を遮断して証明が消えた時に何も見えない条件でボールを打ち、カップはカップの絵とか写真で、インパクトの瞬間照明を消し必要なら赤外線（可視光カット）を点灯させ、赤外線カメラにてカップの何処に打たれたかを記録する事により不可能とされていたデータを容易に得ることができたのである。
【００６３】
この場合インパクトの瞬間は床にマグネットセンサーを使用しパターにマグネットを取り付けるか、ボールを打つときはマイクロホンで打点の音を拾っても良い、光をボールに当て光センサーでボールがなくなる瞬間を監視して照明を消しても良い。
【００６４】
総じて本発明は、従来取れなかったプレイヤーのパッティングデーターをとる事が出来るようになったもので、かかるデータによって得た偏差を、見た目での補正に置き換えカップインの成功率が高い練習情報に加える事が出来たのである。
【００６５】
なお、上記の実施例でゴルフパターのヘッドのゲージ板を設けるなどの補正を与えることが競技規定に反するような時は、補正後の方向線を描くことができる複数のゲージ板を予め用意しておき、それに見あうゲージ板を選び直接ヘッドに線を書くことによって補正が出来、データで得られた補正値を正確に示すことができるのである。
【００６６】
また、従来のボールを打つパッティングでは、正しいデータを取る事が出来ない理由はかかるデータ取得条件として、パットの回数が複数回必要なのだが、従来のボールを打つパッティングで一回目のパッと以降は、プレイヤーがパッティング結果を学習してしまい、一回目が左へ打った場合、二回目は、右に補正をかけて打とうという意識が働き正しいデータは得られない。
【００６７】
そこで本発明では、ボールを打たずに光を打つシミュレーションのため、得た情報がプレイヤーに解らないようにすることが可能で、よって、二回目以降のパッティングも学習する事無く、複数回行う事が出来、試験者が持つ偏差値を得る事が出来たのであり、ボールをパットしても、得た情報が試験者に解らないようにする事が可能になったのである。
【００６８】
なお、この場合図１２のようなシート状の圧電素子（１７）等を利用したカップ（１８）の実施例で実際のインパクトの瞬間その照明を消すことによりプレイヤー（試験者）に情報が見えないように出来るため正しいデータが得られるのであり、このことは室内において外光を遮断して照明が消えた時に何も見えない条件とすることもできる。
【００６９】
また、この時同条件でボールを打ちカップはカップの絵とか写真で、インパクトの瞬間照明を消し赤外線（可視光カット）を点灯しとき、赤外線カメラにてカップの何処に打たれたかを記録する事によりデータを得られる手段も考えられる。これは、インパクトは床にマグネットセンサーを使用しパターにマグネットを取り付けるか、ボールを打つときは、マイクロホンで打点の音を拾っても良い、光をボールに当て光センサーでボールがなくなる瞬間を監視して照明を消しても良いのである。
【図面の簡単な説明】
【００７０】
【図１】パッティング動作を示すブロック説明図
【図２】ゴルフパター本体に取り付けたゲージ板の正面図
【図３】同平面図
【図４】光信号発信部と支持マット本体の正面配置図
【図５】正面図
【図６】光信号発信部の正面斜視図
【図７】同他の実施例の光信号発信部の正面斜視図
【図８】回路組織の一例の説明図
【図９】正しいカップインの状態を示す平面説明図
【図１０】パッティングが偏ったときのカップとボールの軌跡を示す平面説明図
【図１１】他の実施例のゲージ板の斜視図
【図１２】シート状の圧電素子等を利用したカップ平面説明図
【符号の説明】
【００７１】
Ａ      光信号発信部
Ａ１    回数表示窓
Ａ２    数値窓
Ｂ      ゴルフパター本体
Ｃ      ゴルフボール本体支持マット本体
Ｅ      制御回路
Ｍ      メロディ発生用の発生回路
Ｓ      スピーカ
１      直方体
２      照射用ＬＥＤ
３      受光素子
４      遮光板
５      ヘッド
６      ゴルフパター本体
７      反射部材
８      ロッド
９      ゲージ板
１０    円盤状の指針板
１１    数値
１２    カム盤
１３    回転子
１４    コイルバネ
１５    ゴルフボール
１６    三角形状の切り抜き
１７    各センサ
１８    カップ
９１    平板
９１’  平板
９２    折曲
９２’  折曲
９３    方向線
９３’  方向線
９４    ビス
９５    蟻溝
１０１  軸
１０２  軸受
【図１】
2006247073.tif 000003
【図２】
2006247073.tif 000004
【図３】
2006247073.tif 000005
【図４】
2006247073.tif 000006
【図５】
2006247073.tif 000007
【図６】
2006247073.tif 000008
【図７】
2006247073.tif 000009
【図８】
2006247073.tif 000010
【図９】
2006247073.tif 000011
【図１０】
2006247073.tif 000012
【図１１】
2006247073.tif 000013
【図１２】
2006247073.tif 000014